(57)【要約】【課題】本発明の課題は、線状部材と芳香体との接触による線状部材の変質等を抑制することであり、すなわち、芳香体の芳香の放出を妨げることなく、線状部材と芳香体とが接触することのない装飾具を提供することである。【解決手段】本発明の装飾具１は、内側に設けられる空洞２と、空洞２に連通される開口部３と、開口部３に挿入され空洞２に入り込む線状部材５と、空洞２に収容される芳香体６と、芳香体６の芳香を外部又は空洞２内に放出するための通気孔７と、空洞２に設けられ線状部材５と芳香体６とを隔離する隔離手段８と、を備える。これにより、芳香体６の芳香を通気孔７により外部又は空洞２内に放出しながら、線状部材５と芳香体６とは接触することがないため、製作時又は使用時に線状部材５と芳香体６との組み合わせを考慮する必要がなく、装飾の多様性を実現することが可能である。【選択図】図１
2020188962.tif 000002
【特許請求の範囲】
【請求項１】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備えること、を特徴とする装飾具。
【請求項２】
前記隔離手段が、前記空洞の内面に設けられた隔壁であること、を特徴とする請求項１記載の装飾具。
【請求項３】
前記隔壁が、１又は２以上の前記通気孔を備えること、を特徴とする請求項２記載の装飾具。
【請求項４】
前記開口部は、一対の貫通孔であり、
前記隔離手段が、前記貫通孔を備える中空の管状体であること、を特徴とする請求項１記載の装飾具。
【請求項５】
前記開口部と、
前記開口部に連接し、前記空洞に連通される外周溝と、を備えること、を特徴とする請求項１乃至３のいずれかに記載の装飾具。
【請求項６】
前記芳香体を嵌入する嵌入孔を備えること、を特徴とする請求項１乃至５のいずれかに記載の装飾具。
【請求項７】
前記装飾具が前記線状部材の結び目を収容し得る連結具であること、を特徴とする請求項１乃至６のいずれかに記載の装飾具。
【請求項８】
前記線状部材が挿通される複数の装飾部材と、
前記装飾部材の少なくとも一つに連接される請求項１乃至７のいずれかに記載の装飾具と、を有することを特徴とする装飾品。
【発明の詳細な説明】
【技術分野】
【０００１】
本発明は、芳香体（すなわち、芳香性物質を染み込ませたスポンジ等の吸収体、固形の芳香剤といった、芳香を放つ固体など）を収容することのできる装飾具、及びその装飾具を含む装飾品に関するものである。
【背景技術】
【０００２】
芳香を発する、芳香性物質（すなわち、アロマオイル、精油、香料、香水等の揮発性の液体など）を収容した装飾具が知られている。また、これらの芳香性物質を染み込ませた芳香体（すなわち、芳香性物質を染み込ませたスポンジ等の吸収体、固形の芳香剤といった、芳香を放つ固体など）を収容した装飾具も市場では多く見受けられる。
これらの装飾具は、他の部材（例えば、金属製パーツ、紐、チェーン、ゴムなど）と組み合わせることにより、指輪、イヤリング、ピアス、ネックレス、ブレスレット、アンクレット、チャーム、キーホルダー、ストラップなどの装飾品として販売されることもあり、装飾具だけでなく装飾品も市場で広く流通している。
【０００３】
しかしながら、芳香性物質や芳香体を装飾具の中に収容することにより、収容しない場合と比べて、芳香が装飾具の外部に放出されにくいといった問題がある。
芳香性物質や芳香体を収容するためには、装飾具の収容部分は閉じておいた方が良い。装飾具の使用時に芳香性物質や芳香体が外部に漏れ出ること、または抜け出すことを抑制するためである。一方、芳香を外部に放出するためには可能な限り開放しておいた方がよい。外部とつながる開口の数が多く、また開口が大きいほど芳香は外部に放出される。
そのため、従来、芳香性物質や芳香体を装飾具に収容しつつ、いかに芳香を放出させるかといった点が重視されてきた。
【０００４】
芳香の放出について、例えば特許文献１では、内部に収容される芳香体が外部に抜け出すことを抑制しつつ、開口部を大きく確保できる装飾具に関する技術を提案している。
芳香体を収容した容器の上部が大きく開口しており、その開口部から芳香体の芳香が放出し拡散される。この容器は、開口の上方略中心部を通るように配置されている線状部材（例えば、チェーンなど）によって吊下げられている。線状部材は蓋などと比べ開口を覆う面積が小さく、香りの拡散を妨げることなく容器を吊下げることが可能である。また、使用時において芳香体が外部に抜け出すことを抑制している。
【先行技術文献】
【特許文献】
【０００５】
【特許文献１】特開２０１８−１７５０１６号公報
【発明の概要】
【発明が解決しようとする課題】
【０００６】
前述のとおり、従来、芳香体の芳香の放出について改良技術が提案されることが多かった。芳香の放出を考えた場合には、一般的に、装飾具に設けられる開口の数や大きさについて改良するのが主流である。特許文献１も開口の大きさについて改良された技術であり、大きく設けられた開口から芳香体が外部に抜け出すことを防ぐために、線状部材が用いられている。
【０００７】
このように特許文献１では、線状部材は、芳香体が外部に抜け出すことを抑制する目的で配置されており、装飾具使用時に線状部材と芳香体とが接触することは当然に想定されている。しかしながら、これには問題があった。
線状部材と芳香体とが接触することにより、両者の組み合わせによっては線状部材が溶解、又は変質する可能性があったのである。
【０００８】
従来、線状部材と芳香体の関係に着目したものはなかった。実際に、芳香の拡散のために、線状部材に直接芳香性物質を染み込ませる手法が用いられていたほどである。そのため、線状部材と芳香体とが接触するような位置関係について、問題であると捉えるまでには至らなかった。
【０００９】
装飾具に用いられる線状部材は様々であり、一例として、毛、絹、木綿、麻、化学繊維などを編み込んで紐状にしたもの、紙を撚ったもの、革等を縫い合わせたもの、チェーン、針金、ゴム（ポリウレタン、シリコンなど）がある。
一方、芳香性物質にも様々な種類があり、芳香性物質の種類によっては接触する材料を溶解し、又は変質させる成分を有するものがある。例えば、レモングラス等柑橘系の精油にはリモネンが含まれており、スチロール樹脂を溶解する性質があることが知られている。この性質は気化前の状態で見られるため、液体だけでなく固体でも起こりうる。すなわち、芳香性物質を有する芳香体であっても同様の性質を有する。
【００１０】
そのため、線状部材と芳香体の組み合わせによっては、その接触により、線状部材を溶解又は変質させるおそれがある。たとえ、芳香性物質単体では溶解又は変質させることがない場合でも、複数の芳香性物質を混ぜ合わせることにより、溶解又は変質が起こる場合がある。さらに、将来的にそのような成分を有する芳香性物質が新たに発見又は抽出され、製造される可能性もある。
【００１１】
装飾具の製作者にとって、線状部材と芳香体の組み合わせを考慮して装飾具を製作することは、手間であり、負担が大きい。特に、装飾具に収容される芳香体が着脱可能である場合には、選択する芳香体によって、線状部材の溶解又は変質を生じるおそれがあるため、装飾具の製作者は予め、あらゆる芳香性物質との耐性を考慮した上で線状部材を選定する必要がある。しかしながら、これはあまりに負担が大きく現実的ではない。
一方、線状部材と芳香体の関係を考慮せず、両者を選定した場合には、線状部材の溶解又は変質等により、装飾具に挿通されている線状部材が破損し、装飾具や装飾品が毀損するおそれがある。
【００１２】
前述のとおり、これまでは芳香の放出と拡散に着目されるあまり、芳香体との接触による線状部材の溶解等の問題について看過されてきた。線状部材として選定されてきた素材には芳香性物質への耐性を持つものがあること、また、芳香性物質が気化した状態であれば線状部材への溶解や変質等の効果が見られないことなどから、従来、問題として挙げられることがなく、この問題を解決する技術について提案されることもなかった。
【００１３】
本発明の課題は、かかる問題を解決することである。すなわち、芳香体の芳香の放出を妨げることなく、線状部材と気化する前の芳香体とが接触することのない装飾具を提供することにある。
【課題を解決するための手段】
【００１４】
本発明は、芳香体の芳香を外部へ放出する通気孔を有しながら、線状部材と気化する前の芳香体とが接触することのない隔離手段を設ける、という点に着目してなされたものであり、これまでにない発想に基づいて行われた発明である。
【００１５】
本発明の装飾具は、開口部を有し、この開口部に線状部材が挿入される装飾具であって、内側に設けられる空洞と、空洞に連通される開口部と、開口部に挿入され空洞に一部が入り込む線状部材と、空洞に収容される芳香体と、芳香体の芳香を放出するための通気孔と、空洞に設けられる隔離手段と、を備える。この隔離手段は、線状部材と、芳香体と、を隔離するものである。
【００１６】
本発明の装飾具は、隔離手段を内面に設けられた隔壁とすることもできる。
【００１７】
隔離手段を内面に設けられた隔壁とする場合、隔壁に１又は２以上の通気孔を備えることで、芳香を空洞内に通し、開口部より外部へ放出させることもできる。
【００１８】
本発明の装飾具は、開口部を一対の貫通孔とすることもできる。この場合、隔離手段は空洞内に設けられる中空の管状体となる。この管状体は貫通孔とつながっており、線状部材は一方の貫通孔に挿入され、管状体を通り、もう一方の貫通孔から外へ抜き出される。
【００１９】
本発明の装飾具は、さらに開口部に連接する外周溝を設けることもできる。この外周溝は装飾具の外周に設けられる溝であり、空洞に連通されている。
【００２０】
本発明の装飾具は、さらに芳香体を嵌入する嵌入孔を備えたものとすることもできる。
【００２１】
本発明の装飾具は、さらに線状部材の端と端とを結ぶ結び目を収容し得る構造を備えた連結具とすることもできる。
【００２２】
本発明の装飾品は、線状部材が挿通される複数の装飾部材と、前述した装飾具と、を有する装飾品である。前述した装飾具は、複数の装飾部材のうち少なくとも一つと連接されている。
【発明の効果】
【００２３】
本発明の装飾具及び装飾品には、次のような効果がある。
（１）線状部材と芳香体とが隔離手段で隔離されていることにより、芳香体の接触による線状部材の溶解又は変質等を抑制することができる。
（２）線状部材と芳香体とが接触しないため、線状部材と芳香体の組み合わせを考慮して部材を選定する必要がない。そのため、例えばその装飾性、コスト、気分、状況等に応じて、線状部材や芳香体を適宜選択することも可能である。
（３）外部又は空洞内に通じた通気孔が設けられることにより、通気孔を通して芳香体の芳香を放出することができる。
【図面の簡単な説明】
【００２４】
【図１】本発明の装飾具の一例を示す斜視図である。
【図２】本発明の装飾具の一例を示す断面図である。
【図３】（ａ）（ｂ）（ｃ）はいずれも開口部、隔離手段、通気孔の例を示した斜視図である。
【図４】隔離手段として隔壁を備える装飾具の一例を示す斜視図である。
【図５】（ａ）（ｂ）（ｃ）はいずれも隔壁と通気孔の例を示した図である。
【図６】隔離手段として管状体を備える装飾具の一例を示す斜視図である。
【図７】（ａ）（ｂ）はいずれも管状体と通気孔の例を示した斜視図であり、（ｃ）は（ｂ）の隔離手段の内部を示す図である。
【図８】結び目を収容する装飾具の一例を示す斜視図である。
【図９】本発明の装飾具を有する装飾品の一例を示す図である。
【発明を実施するための形態】
【００２５】
以下、本発明の実施の形態の一例を図に基づいて説明する。
【００２６】
図１は、本発明の装飾具１の一例を示す斜視図であり、図２はその断面図である。図１及び図２に示されているとおり、装飾具１は、内部に空洞２が設けられている。また空洞２には、開口部３と、開口部３に連接する外周溝４とが連通している。この装飾具１は、開口部３に線状部材５が挿入されると空洞２に線状部材５が入り込む構造であり、図１のように開口部３に連接する外周溝４が設けられている場合には、線状部材５を外周溝４に沿って開口部３に挿入することができるため、挿入が容易となる。さらに、装飾具１の空洞２には芳香体６が収容可能である。芳香体６の芳香を外部に放出するため、装飾具１には通気孔７が設けられる。
前述のとおり、線状部材５と芳香体６とが接触する場合、その種類によっては線状部材５の溶解又は変質のおそれがあるため、線状部材５と芳香体６とが接触することのないよう、装飾具１には隔離手段８が備えられている。
また、芳香体６を嵌入するための嵌入孔９を設けることもできる。
【００２７】
本発明の装飾具１は、真鍮等の合金が用いられるが、これに限られるものではない。金属、鋼に限らず、陶磁器、石、木材、ガラス、樹脂など、他の素材でもよいが、本発明は芳香体６を収容することから、芳香体６により溶解又は変質する性質を持つ素材は適さない。すなわち、装飾具１は、芳香体６により溶解又は変質しない素材であればどのようなものでもよい。一種類の素材で形成されていてもよいし、複数の素材で形成されていても構わない。一体で形成されていてもよいし、２以上の部材で形成されたものを接合するようなものであってもよい。
また、装飾具１の装飾性を高めるために、装飾具１にさらに装飾を施しても構わない。例えば図柄を彫る、異なる部材を嵌め込む、宝玉又はその模造品等を貼り付ける等が考えられるが、これに限られるものではない。本発明の効果が発揮される構造であれば、どのような装飾を施してもよい。例えば通気孔７を、植物や動物を象った形状にするといったことももちろん許容される。
【００２８】
装飾具１は、いずれの素材を用いる場合でもその内部に空洞２が設けられる。装飾具１の外周壁はどのような厚さでも構わない。また、厚さが均一でなくてもよい。いずれかの部位のみ薄くする、または厚くすることもできる。さらに、芳香体６の収容位置を定めるために、内面に突起を設けてもよい。
この突起を装飾具の径方向に延ばすことにより、隔離手段８とすることも可能である。内面に設けた突起を隔離手段８とする場合には、空洞２を分断するまで延出するか、または孔を一部残すように延出してもよい。後者の場合は、空洞２に形成された孔が通気孔７となる。
【００２９】
本発明で用いられる線状部材５は、例えば、毛、絹、木綿、麻、化学繊維などを編み込んだもの、紙を撚ったもの、革等を縫い合わせたもの、金属等のチェーン、針金、ポリウレタンゴム、シリコンゴムなど、様々なものが考えられるが、これに限られるものではない。後述する開口部３に挿入可能なものであればその素材は問わない。
【００３０】
装飾具１はさらに開口部３を有し、この開口部３と空洞２とは連通している。線状部材５はこの開口部３に挿入され、挿入された部分が空洞２に入り込む。
なお、開口部３に連接するように外周溝４を設けることもできる。外周溝４は装飾具１の外周に設けられた溝であり、空洞２と連通している。外周溝４の溝に沿って線状部材５を挿入することにより、開口部３に容易に挿入可能である。
【００３１】
開口部３と外周溝４の形状は様々なものが考えられる。例えば図３（ａ）で示されているように、開口部３に外周溝４が連接する場合は、外周溝４の溝の幅は、線状部材５が挿入可能な幅である必要がある。さらに挿入を容易なものとするために、外部に接する側と内部の空洞側とで溝の幅に勾配を設けてもよい。外部に接する側の幅を内部の空洞側の幅より広くすることで線状部材５が挿入しやすく、また空洞側の幅を線状部材５と略同じ幅とすることで外周溝４から抜け出ることを抑制することもできる。線状部材５がゴムのように伸縮可能な素材であれば、内部の空洞側の幅を線状部材５の幅より狭く設けた場合でも、線状部材５を挿入することが可能であり、略同じ幅の場合よりもさらに外周溝４から抜け出ることを抑制することができる。
なお、外周溝４に沿って線状部材５を開口部３に挿入した場合でも、線状部材５は開口部３に収まることになる。装飾具１の使用時に線状部材５が開口部３から外周溝４へ抜けることを抑制するため、開口部３と外周溝４とが連接する部分を線状部材５と略同じ幅にするとよい。また、線状部材５がゴムのように伸縮可能な素材であれば、連接する部分の幅をより狭く設けた場合でも挿入することが可能であり、外周溝４へ抜けることを抑制することができる。
【００３２】
図３（ｂ）で示されているとおり、装飾具１を例えば径方向に切断し、開口部３を設けてもよい。その場合、線状部材５が収まるよう開口部３に連接する切り欠きを設けるのが好適である。図３（ｂ）では略円形であるが、多角形でもよく、他の形状でも構わない。切り欠きの形状にかかわらず、連接する部分は線状部材５と略同じ幅にするとよい。装飾具１の使用時に線状部材５が切り欠きから外部へ抜け出ることを抑制するためである。線状部材５がゴムのように伸縮可能な素材であれば、連接する部分の幅をより狭くすることができるのは前述の外周溝４の例と同様である。
また、開口部３と切り欠きとが連接する部分を閉じるように、開閉可能な蓋を設けてもよい。線状部材５を挿入した後、蓋を閉めることで、線状部材５が開口部３又は切り欠きから外部へ抜け出ることを抑制することができる。
蓋は、例えばヒンジなどで装飾具１に固定してもよいし、例えば嵌合部を設けて装飾具１に嵌合しても構わない。装飾具１の使用時に蓋が開口部３を覆う形状であれば、蓋にも後述する通気孔７を設けるのが好適である。
いずれにしても、線状部材５が開口部３などから外部へと抜け出ることを抑制できるのであれば、これらの方法に限られるものではない。
【００３３】
開口部３は、図３（ｃ）のように孔とすることもできる。この孔は一対の貫通孔であり、線状部材５はこの貫通孔の一方に挿入され、他方より抜き出される。このように開口部３を一対の貫通孔とする場合は、貫通孔をつなぐ中空の管状体を空洞２内に設け、その空間に線状部材５を通すことができる。すなわち、線状部材５は一方の貫通孔に挿入され、管状体の内部を通り、もう一方の貫通孔から外へ抜き出される。もちろん、中空の管状体を設けることなく線状部材５を空洞２内に通してもよい。この場合は、後述する隔壁などの隔離手段８を設けるのが好適である。
【００３４】
装飾具１はさらに、空洞２内に芳香体６を収容可能である。芳香体６は芳香性物質を染み込ませたスポンジやコットン、布等の吸収体でもよいし、固形の芳香剤でも構わない。空洞２に収容可能な芳香を放つ固体であれば、種類も形状もどのようなものでもよい。
なお、芳香体６を着脱可能に収容する場合には、芳香体６を挿入又は嵌入するために、嵌入孔９を設けるとよい。嵌入孔９は、芳香体６が収容される空洞２と、外部と、をつなぐ孔である。図３（ｂ）のように、後述する隔離手段８により空洞２が分断される場合には、芳香体６の収容部（すなわち、芳香体６が収容される隔離空間）と外部とをつなぐように設けることが好適である。隔離手段８により芳香体６の収容部が隔離されていても、芳香体６が容易に着脱可能となるためである。
【００３５】
嵌入孔９を装飾具１の底部に設ける場合には、芳香体６が抜け出ることを抑制するため、図２に示すように、芳香体６の大きさよりも嵌入孔９を小さく設けることが望ましい。この場合、芳香体６は芳香性物質を染み込ませたスポンジやコットン、布などの吸収体が好適である。吸収体であれば、例えば折り曲げることにより一時的に形状を変化させることができる。芳香体６を一時的に小さくすることにより、芳香体６よりも小さく設けられた嵌入孔９にも容易に挿入することができる。また収容された後は元の大きさに戻るため、嵌入孔９から抜け出ることを抑制することができる。
さらに、一時的に形状を変化させることができる芳香体６であれば、嵌入孔９はもちろんのこと、開口部３や、後述する通気孔７などから挿入又は嵌入することも可能である。
【００３６】
通気孔７は、芳香体６の芳香が放出される孔である。図３（ａ）のように、通気孔７は空洞２と外部とをつなぐ孔でもよいし、図３（ｂ）のように後述する隔離手段８により空洞２が分断される場合には、芳香体６の収容部と、開口部３に連通する空洞２と、をつなぐ孔でもよい。この場合、芳香体６の芳香は、収容部から通気孔７を通り空洞２へ放出され、開口部３を介して外部へと放出される。なお、空洞２へと放出された芳香が線状部材５に触れることは許容される。気化した状態であれば線状部材への溶解や変質等の効果が見られないためである。
さらに、図３（ｃ）のように開口部３が一対の貫通孔の場合には、例えば装飾具１を水平方向に切断し通気孔７を設けてもよい。水平方向に限らず、径方向、さらに斜め方向に切断してもよい。切断する方向は問わない。
なお、通気孔７の形状は円形又は略円形、楕円形などが想定されるが、多角形であってもよく、前述のように植物や動物を象った形状であっても構わない。芳香が放出される形状であればどのようなものでも許容される。
さらに、通気孔７は、開口部３又は嵌入孔９と兼ねることもできる。
通気孔７の数は１つでもよいが、芳香の放出と拡散のためには複数設けることが望ましい。
【００３７】
装飾具１はさらに、空洞２内に、線状部材５と芳香体６とを隔離する隔離手段８を備えている。この隔離手段８の例を踏まえて、好ましい実施の形態について説明する。
【００３８】
図３（ａ）（ｂ）又は図４にて示されているとおり、隔離手段８は、装飾具１の内面に設けられ、径方向に延び出た隔壁とすることができる。なお、図はあくまで一例であり、開口部３の形状なども含めこれに限られるものではない。
図３（ａ）のように、隔離手段８を隔壁とする場合であっても、芳香体６の収容部と外部とをつなぐ通気孔７を設けることで芳香を外部に放出することができる。しかしながら、収容部と外部とをつなぐ通気孔７を設けない場合には、図４のように隔離手段８に通気孔７を設けるのが好適である。
隔離手段８に通気孔７を設ける場合、例えば図５（ａ）のように、１又は２以上の孔とすることができる。孔としているが、円形又は略円形、楕円形でなくてもよく、多角形でもよい。例えば図５（ｂ）（ｃ）のように、隔離手段８と内面とが接する部分が一部であったとしても、線状部材５と芳香体６とを隔離する形状であれば隔離手段８とすることができる。この場合は、隔離手段８で隔離されない部分が通気孔７として形成される。
図５の例に限らず、装飾具１の内面に突起を設け、その突起を径方向に延ばすことにより隔離手段８とすることもできる。この場合も隔離手段８で隔離されない部分が通気孔７として形成される。
いずれの場合も、この通気孔７は芳香体６よりも小さく設けられることが望ましい。また、空洞２に入り込む線状部材５を避けるように設けられるのが好適である。このように通気孔７を設けることで、装飾具１の使用時に線状部材５又は芳香体６が通気孔７を通り接触することを防ぐことができる。
なお、前述のとおり、通気孔７から放出される芳香が、線状部材５に触れることは許容される。
【００３９】
図３（ｃ）又は図６のように、開口部３が一対の貫通孔である場合は、２つの貫通孔をつなぐ中空の管状体を空洞２内に設け、その空間内に線状部材５を通すことで、これを隔離手段８とすることができる。線状部材５は管状体の内部を通るため、管状体の外部である空洞２内に収容される芳香体６との接触を防ぐことができる。図６は貫通孔から貫通孔までを最短で結ぶ形状の管状体であるが、図はあくまで一例であり、管状体の形状はこれに限られるものではない。
このように、開口部３が一対の貫通孔である場合には、線状部材５は貫通孔の一方に挿入され、管状体である隔離手段８の内部を通り、他方より抜き出しされる。
隔離手段８が管状体の場合、構造上、開口部３と芳香体６とはつながることがないため、芳香を放出するために通気孔７を設けるとよい。通気孔７は、図６又は図７（ａ）で示されるように、装飾具１の内面のいずれかに、空洞２と外部とをつなぐように設けるのが好適である。また、空洞２と管状体である隔離手段８とをつなぐように設け、貫通孔である開口部３から芳香が放出されるようにしてもよい。前者の場合、通気孔７は、芳香体６を嵌入する嵌入孔９と兼用することもできる。
【００４０】
さらに、図７（ｂ）のように、隔離手段８を、中空の管状体と隔壁とを兼ねた形状にしてもよい。この形状は、図７（ｃ）で示されるとおり、隔壁である隔離手段８に、管状体が備えられた構造であり、線状部材５はこの管状体の内部を通る。なお、図７（ｃ）では略円形の通気孔７が設けられているが、通気孔７は円形又は略円形、楕円形などでなくてもよく、他の形状をも許容することは前述のとおりである。
【００４１】
また、本発明の装飾具１は、図８にて示されるとおり、線状部材５の結び目１０を収容することもできる。
開口部３が、例えば図３（ｂ）のように、装飾具１を径方向に切断し、線状部材５が収まるように切り欠き等が設けられている場合は、線状部材５の両端を予め結んでおき、そのまま開口部３から挿入することが可能である。その場合は、開口部３に連接する切り欠き等の大きさを、線状部材５の結び目１０より小さく設けるのが好適である。このように設けることで、使用時に結び目１０が外部に抜け出ることがない。
また、装飾具１を径方向に切断して開口部３を設けなくとも、図８のように、開口部３に連接する外周溝４に、結び目１０が挿入可能な孔を設けておくことにより、結び目１０ごと挿入することができる。その場合は、結び目１０が外部に抜け出ることを抑制するため、開口部３の大きさを結び目１０より小さく設けるのが好適である。さらに、前述のとおり、開口部３に収まる線状部材５が外周溝４へ抜けることを抑制するために、開口部３と外周溝４とが連接する部分を線状部材５と略同じ幅にするとよい。
なお、結び目１０を挿入することなく、線状部材５の両端を開口部３に挿入し、空洞２内で結び目１０を作成することもできる。この場合は、線状部材５の両端を結ぶための空洞２内の作業領域と、指やピンセット等の作業用具を挿入することのできる開口と、を備えていることが望ましい。この開口は開口部３と兼ねてもよい。
【００４２】
さらに、本発明の装飾具１は、装飾具１と線状部材５とを含んでなる装飾品として、例えばイヤリング、ピアス、ネックレス、ブレスレット、アンクレット、チャーム、キーホルダー、ストラップなどに活用することが可能である。
また、図９にて示される通り、さらに線状部材５が挿通される複数の装飾部材１１を備えることにより、例えば数珠形状の装飾品１２を製作することもできる。装飾具１はこれらの装飾部材１１の少なくとも一つには連接されている。なお、装飾品１２に装飾具１が複数設けられていてもよい。数珠形状に限らず、装飾具１と装飾部材１１との組み合わせや、それぞれいくつ設けるかにより、装飾の多様性を実現することが可能である。
【産業上の利用可能性】
【００４３】
本発明の装飾具は、線状部材と芳香体とが隔離手段で隔離されていることにより、芳香体の接触による線状部材の溶解又は変質等を抑制することができる。そのため、線状部材と芳香体の組み合わせを考慮して部材を選定する必要がない。本発明によれば、例えばその装飾性、コスト、気分、状況等に応じて、線状部材や芳香体を適宜選択することができ、装飾具の製作、及び芳香体等の選択において、装飾の多様性を実現することが可能である。このことに鑑みれば、産業上利用できるばかりでなく、社会的にも大きな貢献を期待しうる発明と言える。
【符号の説明】
【００４４】
１  装飾具
２  空洞
３  開口部
４  外周溝
５  線状部材
６  芳香体
７  通気孔
８  隔離手段
９  嵌入孔
１０  結び目
１１  装飾部材
１２  装飾品
【図１】
2020188962.tif 000003
【図２】
2020188962.tif 000004
【図３】
2020188962.tif 000005
【図４】
2020188962.tif 000006
【図５】
2020188962.tif 000007
【図６】
2020188962.tif 000008
【図７】
2020188962.tif 000009
【図８】
2020188962.tif 000010
【図９】
2020188962.tif 000011
【手続補正書】
【提出日】令和1年10月15日(2019.10.15)
【手続補正１】
【補正対象書類名】明細書
【補正対象項目名】００１６
【補正方法】変更
【補正の内容】
【００１６】
本発明の装飾具は、開口部を一対の貫通孔とすることもできる。この場合、隔離手段を空洞内に設けられる中空の管状体とすることができる。この管状体は貫通孔とつながっており、線状部材は一方の貫通孔に挿入され、管状体を通り、もう一方の貫通孔から外へ抜き出される。
【手続補正２】
【補正対象書類名】明細書
【補正対象項目名】００１７
【補正方法】変更
【補正の内容】
【００１７】
本発明の装飾具は、さらに開口部に連接する外周溝を設けることもできる。この外周溝は装飾具の外周に設けられる溝であり、空洞に連通されている。
【手続補正３】
【補正対象書類名】明細書
【補正対象項目名】００１８
【補正方法】変更
【補正の内容】
【００１８】
本発明の装飾具は、さらに線状部材の端と端とを結ぶ結び目を収容し得る構造を備えた連結具とすることもできる。
【手続補正４】
【補正対象書類名】明細書
【補正対象項目名】００１９
【補正方法】変更
【補正の内容】
【００１９】
本発明の装飾具は、隔離手段を内面に設けられた隔壁とすることもできる。
【手続補正５】
【補正対象書類名】明細書
【補正対象項目名】００２０
【補正方法】変更
【補正の内容】
【００２０】
隔離手段を内面に設けられた隔壁とする場合、隔壁に１又は２以上の通気孔を備えることで、芳香を空洞内に通し、開口部より外部へ放出させることもできる。この場合、隔壁の通気孔は線状部材を避けるように設けられるのが望ましい。
【手続補正６】
【補正対象書類名】明細書
【補正対象項目名】００２１
【補正方法】変更
【補正の内容】
【００２１】
本発明の装飾具は、さらに芳香体を嵌入する嵌入孔を備えたものとすることもできる。
【手続補正７】
【補正対象書類名】特許請求の範囲
【補正対象項目名】全文
【補正方法】変更
【補正の内容】
【特許請求の範囲】
【請求項１】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備え、
前記開口部が、一対の貫通孔であり、
前記隔離手段が、前記貫通孔を備える中空の管状体であること、を特徴とする装飾具。
【請求項２】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段と、
前記開口部に連接し、前記空洞に連通される外周溝と、を備えること、を特徴とする装飾具。
【請求項３】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備え、
前記線状部材の結び目を収容し得る連結具であること、を特徴とする装飾具。
【請求項４】
前記隔離手段が、前記空洞の内面に設けられた隔壁であること、を特徴とする請求項２又は３記載の装飾具。
【請求項５】
前記隔離手段が、１又は２以上の前記通気孔を備えること、を特徴とする請求項２乃至４のいずれかに記載の装飾具。
【請求項６】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備え、
前記隔離手段が、前記空洞の内面に設けられた隔壁であり、
前記隔壁が、１又は２以上の前記通気孔を有し、
前記通気孔が、前記線状部材を避けて設けられること、を特徴とする装飾具。
【請求項７】
前記芳香体を嵌入する嵌入孔を備えること、を特徴とする請求項１乃至６のいずれかに記載の装飾具。
【請求項８】
前記線状部材が挿通される複数の装飾部材と、
前記装飾部材の少なくとも一つに連接される請求項１乃至７のいずれかに記載の装飾具と、を有することを特徴とする装飾品。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備え、
前記開口部が、一対の貫通孔であり、
前記隔離手段が、前記貫通孔を備える中空の管状体であること、を特徴とする装飾具。
【請求項２】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段と、
前記開口部に連接し、前記空洞に連通される外周溝と、を備えること、を特徴とする装飾具。
【請求項３】
開口部を有し、該開口部に線状部材が挿入される装飾具であって、
内部に設けられる空洞と、
前記空洞に連通される前記開口部と、
前記開口部に挿入され、前記空洞に一部が入り込む前記線状部材と、
前記空洞に収容される芳香体と、
前記芳香体の芳香を放出するための通気孔と、
前記空洞に設けられ、前記線状部材と、前記芳香体と、を隔離する隔離手段を備え、
前記線状部材の結び目を収容し得る連結具であること、を特徴とする装飾具。
【請求項４】
前記隔離手段が、前記空洞の内面に設けられた隔壁であること、を特徴とする請求項２又は３記載の装飾具。
【請求項５】
前記隔離手段が、１又は２以上の前記通気孔を備えること、を特徴とする請求項２乃至４のいずれかに記載の装飾具。
【請求項６】
前記芳香体を嵌入する嵌入孔を備えること、を特徴とする請求項１乃至５のいずれかに記載の装飾具。
【請求項７】
前記線状部材が挿通される複数の装飾部材と、
前記装飾部材の少なくとも一つに連接される請求項１乃至６のいずれかに記載の装飾具と、を有することを特徴とする装飾品。